(57)【要約】【課題】建物の壁面に設置されたベントフードが防火ダンパにより閉塞されていないことを屋外から目視で確認できるようにする。【解決手段】防火ダンパ９を装備したベントフード１８を構成するにあたり、防火ダンパ９の拘束が解除されて該防火ダンパ９が閉塞位置に傾動した時に屋外から視認可能な流路閉塞表示を成す表示手段として、フード部５の下端に傾動自在に枢着されて建物の壁面１に沿うように垂下し且つその垂下時に前記壁面１側に対峙する裏面に流路閉塞表示を付したフラップ２０と、該フラップ２０の表面の適宜な部位と防火ダンパ９の閉塞位置への傾動時に通気流路１０の奥側へ傾動する部位との間を連結する可撓性の紐状体２１とを備える。【選択図】        図１
2005009221.tif 000002
【特許請求の範囲】
【請求項１】
建物の壁面に形成した通気口に対し挿入可能な筒状の通気口挿入部と、該通気口挿入部内に適宜に通気流路を閉塞し得るよう傾動自在に枢着された防火ダンパと、該防火ダンパを通気の流れ方向に沿うように傾動した開放位置に拘束し且つ所定温度以上となった時に溶断して前記拘束を解除するヒューズと、拘束が解除された防火ダンパを通気の流れ方向に対し直角な閉塞位置に傾動するよう付勢する弾撥体と、前記通気口挿入部の反挿入側の端部に組み付けられて該端部の開口に雨水が浸入しないよう包囲するフード部と、前記防火ダンパの拘束が解除されて該防火ダンパが閉塞位置に傾動した時に屋外から視認可能な流路閉塞表示を成す表示手段とを備えたことを特徴とするベントフード。
【請求項２】
フード部の下端に傾動自在に枢着されて建物の壁面に沿うように垂下し且つその垂下時に前記壁面側に対峙する裏面に流路閉塞表示を付したフラップと、該フラップの表面の適宜な部位と防火ダンパの閉塞位置への傾動時に通気流路の奥側へ傾動する部位との間を連結し且つ前記防火ダンパの閉塞位置への傾動時に前記フラップが略水平に引き上げられるように配索された可撓性の紐状体とにより表示手段を構成したことを特徴とする請求項１に記載のベントフード。
【請求項３】
防火ダンパの閉塞位置への傾動時に通気流路の奥側へ傾動する部位に一端を固着し且つ他端をフード部の下端に垂下させて前記防火ダンパの閉塞位置への傾動時に通気口挿入部内に引き込まれるようにした可撓性の紐状体により表示手段を構成したことを特徴とする請求項１に記載のベントフード。
【請求項４】
フード部の下端に傾動自在に枢着されて建物の壁面に沿うように直立し且つその直立時に前記壁面側に対峙する裏面に流路閉塞表示を付したフラップと、該フラップの表面の適宜な部位と防火ダンパの閉塞位置への傾動時に通気流路の奥側へ傾動する部位との間を連結し且つ前記防火ダンパの閉塞位置への傾動時に前記フラップが垂下した状態に引き下げられるように配索された可撓性の紐状体と、前記フラップを直立状態に保持し且つその保持を前記紐状体の引き下げにより容易に解除する保持手段とにより表示手段を構成したことを特徴とする請求項１に記載のベントフード。
【発明の詳細な説明】
【０００１】
【発明の属する技術分野】
本発明は、ベントフードに関するものである。
【０００２】
【従来の技術】
一般的に、ビルや住宅等の建物の壁面に形成される通気口には、該通気口内への雨水や異物（例えば枯れ葉等）、又は虫の侵入を防ぐことを目的としてベントフードが取付けられている。
【０００３】
図１１〜図１３は従来のベントフードの一例を示すもので、建物の壁面１に形成された通気口２に対し挿入可能な筒状の通気口挿入部３と、この通気口挿入部３の反挿入側の端部に組み付けられて該端部の開口４に雨水が浸入しないよう包囲するフード部５とを備えて構成されている。
【０００４】
そして、ここに図示している例では、フード部５の前方部分が半割りドーム状に形成されていて、該フード部５の下面には、枯れ葉等の異物の侵入を防ぐＬ字形断面（図１１参照）のスクリーン６が一体的に形成されており、また、前記フード部５の後面には、前記通気口挿入部３の反挿入側（図１１中の左側）の端部に一体的に形成されているフランジ部７が、虫の侵入を防ぐネット８を介しリベット等により組み付けられるようになっている。
【０００５】
而して、斯かるベントフードをその通気口挿入部３を建物の通気口２に押し込んで設置すれば、通気口２内への雨水の侵入をフード部５により防止し且つ異物や虫の侵入をスクリーン６やネット８により防止しながら建物の内外間で良好に通気を行わせることができる。
【０００６】
他方、この種のベントフードにおいては、特に防火地域に指定された場所の建物等で用いられる場合に、通気口挿入部３内に防火ダンパ９を装備したものがあり、隣室が火事になった際に、図１１中に二点鎖線で示す如く、前記防火ダンパ９を閉じて通気流路１０を閉塞することにより、ベントフードを通し隣室の火が天井裏へと侵入して燃え移るような事態を回避して延焼を防止するようにしてある。
【０００７】
ここで、図示した防火ダンパ９の構造につき詳述すると、この防火ダンパ９は、通気口挿入部３の通気流路１０を左右方向に亘る軸線Ｏを中心に傾動して該通気流路１０の後端面を適宜に閉塞し得るようにした回転式のバタフライダンパとなっている。
【０００８】
更に、通気口挿入部３の通気流路１０の前方寄りの底面に装着したブラケット１１と前記防火ダンパ９の下端部との間がコイルばね１２（弾撥体）により接続されており、前記防火ダンパ９を通気の流れ方向に対し直角な閉塞位置に傾動するよう付勢してある。尚、防火ダンパ９は、通気口挿入部３の後端部に形成した上下のストッパ部１３，１４に掛止されることで閉塞位置にて固定されるようになっている。
【０００９】
そして、防火ダンパ９の上端部に形成したブラケット１５と、前記通気流路１０底面のブラケット１１とが、前記防火ダンパ９が通気の流れ方向に沿うように水平に傾動した際に近接するようになっていて、これら両ブラケット１５，１１に形成されている掛止爪１５ａ，１１ａに対し、ヒューズ１６の両端部に開けた掛止孔１６ａ，１６ａ（図１３参照）を係合して前記ヒューズ１６により両ブラケット１５，１１間を連結することにより、前記防火ダンパ９を通気の流れ方向に沿う開放位置に拘束し得るようにしてある。
【００１０】
他方、図１３に示している通り、前記ヒューズ１６は、短冊状の二枚の銅板を鉛合金等の低融点合金から成る可溶体１７で接合したものであり、所定温度以上で可溶体１７が溶けて溶断することにより前記防火ダンパ９の拘束を解除し得るようになっている。
【００１１】
尚、この種の防火ダンパを装備したベントフードに関しては、本出願人が先行して出願している下記の特許文献１にもとりあげられている。
【００１２】
【特許文献１】
特開２０００−３１４５５１号公報
【００１３】
【発明が解決しようとする課題】
しかしながら、斯かる防火ダンパ９を装備した従来のベントフードにおいては、建物を新築したような場合の初期設置時に、現場作業者のヒューズ１６の取り付け方が不完全だったり、建物の壁面への取付け時に不用意に大きな振動を与えてしまったりした場合に、万一、ヒューズ１６が外れて通気流路１０が防火ダンパ９により閉塞されてしまっていたとしても、それをベントフードの設置後に屋外から見て確認する術がないという懸念事項があった。
【００１４】
本発明は上述の実情に鑑みてなしたもので、建物の壁面に設置されたベントフードが防火ダンパにより閉塞されていないことを屋外から目視で確認できるようにすることを目的としている。
【００１５】
【課題を解決するための手段】
本発明は、建物の壁面に形成した通気口に対し挿入可能な筒状の通気口挿入部と、該通気口挿入部内に適宜に通気流路を閉塞し得るよう傾動自在に枢着された防火ダンパと、該防火ダンパを通気の流れ方向に沿うように傾動した開放位置に拘束し且つ所定温度以上となった時に溶断して前記拘束を解除するヒューズと、拘束が解除された防火ダンパを通気の流れ方向に対し直角な閉塞位置に傾動するよう付勢する弾撥体と、前記通気口挿入部の反挿入側の端部に組み付けられて該端部の開口に雨水が浸入しないよう包囲するフード部と、前記防火ダンパの拘束が解除されて該防火ダンパが閉塞位置に傾動した時に屋外から視認可能な流路閉塞表示を成す表示手段とを備えたことを特徴とするベントフード、に係るものである。
【００１６】
而して、このようにすれば、ベントフードの初期設置時に何らかの事情でヒューズが外れて通気流路が防火ダンパにより閉塞されてしまっていたとしても、該防火ダンパの閉塞位置への傾動により表示手段が流路閉塞表示を成し、この流路閉塞表示を屋外から視認することが可能となるので、前記通気流路の閉塞を屋外から確認することが可能となる。
【００１７】
また、本発明をより具体的に実施するにあたっては、フード部の下端に傾動自在に枢着されて建物の壁面に沿うように垂下し且つその垂下時に前記壁面側に対峙する裏面に流路閉塞表示を付したフラップと、該フラップの表面の適宜な部位と防火ダンパの閉塞位置への傾動時に通気流路の奥側へ傾動する部位との間を連結し且つ前記防火ダンパの閉塞位置への傾動時に前記フラップが略水平に引き上げられるように配索された可撓性の紐状体とにより表示手段を構成すると良い。
【００１８】
このようにすれば、ベントフードの初期設置時に何らかの事情でヒューズが外れて通気流路が防火ダンパにより閉塞されてしまっていたとしても、該防火ダンパの閉塞位置への傾動により紐状体が通気流路の奥側へ引き込まれ、これによりフラップが垂下状態から略水平に引き起こされて該フラップの裏面が下方から見上げた時に視認できる状態となり、この裏面に付された流路閉塞表示により通気流路の閉塞を屋外から確認することが可能となる。
【００１９】
更に、本発明においては、防火ダンパの閉塞位置への傾動時に通気流路の奥側へ傾動する部位に一端を固着し且つ他端をフード部の下端に垂下させて前記防火ダンパの閉塞位置への傾動時に通気口挿入部内に引き込まれるようにした可撓性の紐状体により表示手段を構成することも可能である。
【００２０】
このようにすれば、ベントフードの初期設置時に何らかの事情でヒューズが外れて通気流路が防火ダンパにより閉塞されてしまっていたとしても、該防火ダンパの閉塞位置への傾動により紐状体が通気流路の奥側へ引き込まれ、前記紐状体がフード部の下端に垂下した状態から通気口挿入部内に引き込まれて見えなくなるので、この紐状体の他端側が見えなくなることを流路閉塞表示として視認することで通気流路の閉塞を屋外から確認することが可能となる。
【００２１】
また、本発明においては、フード部の下端に傾動自在に枢着されて建物の壁面に沿うように直立し且つその直立時に前記壁面側に対峙する裏面に流路閉塞表示を付したフラップと、該フラップの表面の適宜な部位と防火ダンパの閉塞位置への傾動時に通気流路の奥側へ傾動する部位との間を連結し且つ前記防火ダンパの閉塞位置への傾動時に前記フラップが垂下した状態に引き下げられるように配索された可撓性の紐状体と、前記フラップを直立状態に保持し且つその保持を前記紐状体の引き下げにより容易に解除する保持手段とにより表示手段を構成することも可能である。
【００２２】
このようにすれば、ベントフードの初期設置時に何らかの事情でヒューズが外れて通気流路が防火ダンパにより閉塞されてしまっていたとしても、該防火ダンパの閉塞位置への傾動により紐状体が通気流路の奥側へ引き込まれ、これによりフラップが起立状態から垂下した状態に引き下げられて外観的に視認し易い大きな変化をもたらし、この裏面に付された流路閉塞表示により通気流路の閉塞を屋外から確認することが可能となる。
【００２３】
【発明の実施の形態】
以下本発明の実施の形態を図面を参照しつつ説明する。
【００２４】
図１〜図４は本発明を実施する形態の一例を示すもので、図１は防火ダンパ９がヒューズ１６により開放位置に拘束されている状態、図２はそのＩＩ−ＩＩ方向の矢視、図３は防火ダンパ９の拘束が解除されて閉塞位置に傾動した状態、図４はそのＩＶ−ＩＶ方向の矢視を夫々示したものとなっており、先の従来例の説明に用いた図１１〜図１３と同一の符号を付した部分は同一物を表わしている。
【００２５】
本形態例においては、前述した図１１〜図１３のベントフードと略同様に構成したベントフード１８に関し、防火ダンパ９の拘束が解除されて該防火ダンパ９が閉塞位置に傾動した時に屋外から視認可能な流路閉塞表示を成す表示手段を備えたことを特徴としている。
【００２６】
より具体的には、前記表示手段として、フード部５の下端部における建物の壁面１に沿うスクリーン６の縦壁部分にブラケット１９，１９を介し傾動自在に枢着されて垂下し且つその垂下時に前記壁面１側に対峙する裏面に流路閉塞表示を付したフラップ２０と、該フラップ２０の表面の適宜な部位と防火ダンパ９の閉塞位置への傾動時に通気流路１０の奥側へ傾動する部位（図示する例では上端部）との間を連結し且つ前記防火ダンパ９の閉塞位置への傾動時に前記フラップ２０が略水平に引き上げられるように配索されたワイヤー等の可撓性の紐状体２１とを備えている。
【００２７】
ここで、前記フラップ２０の表面は、フード部５の色や建物の壁面１の色に近い色で目立たないように化粧を施しておく一方、前記フラップ２０の裏面には、離れた位置からでもはっきりと見て取れる鮮やかな色調で×印等を流路閉塞表示として記しておくと良い。
【００２８】
尚、前記フラップ２０は、その裏面に図示しない易剥離性の両面テープ等を貼着してフラップ２０の下端部に固定しておき、通常時に風でひらひらと揺動してしまうような不具合が起きないようにしておくことが好ましい。
【００２９】
而して、このようにすれば、ベントフード１８の初期設置時に何らかの事情でヒューズ１６が外れて通気流路１０が防火ダンパ９により閉塞されてしまっていたとしても、図３及び図４に示す如く、防火ダンパ９の閉塞位置への傾動により紐状体２１が通気流路１０の奥側へ引き込まれ、これによりフラップ２０が垂下状態から略水平に引き起こされて該フラップ２０の裏面が下方から見上げた時に視認できる状態となり、この裏面に付された流路閉塞表示により通気流路１０の閉塞を屋外から目視で確認することが可能となる。
【００３０】
また、図５及び図６は本発明の別の形態例を示すもので、図５は防火ダンパ９がヒューズ１６により開放位置に拘束されている状態、図６は防火ダンパ９の拘束が解除されて閉塞位置に傾動した状態を夫々示したものとなっており、本形態例においては、防火ダンパ９の閉塞位置への傾動時に通気流路１０の奥側へ傾動する部位に一端を固着し且つ他端をフード部５の下端に垂下させて前記防火ダンパ９の閉塞位置への傾動時に通気口挿入部３内に引き込まれるようにした可撓性の紐状体２１により表示手段を構成したものとなっている。
【００３１】
而して、このようにすれば、ベントフード１８の初期設置時に何らかの事情でヒューズ１６が外れて通気流路１０が防火ダンパ９により閉塞されてしまっていたとしても、図６に示す如く、防火ダンパ９の閉塞位置への傾動により紐状体２１が通気流路１０の奥側へ引き込まれ、前記紐状体２１がフード部５の下端に垂下した状態から通気口挿入部３内に引き込まれて見えなくなるので、この紐状体２１の他端側が見えなくなることを流路閉塞表示として視認することで通気流路１０の閉塞を屋外から確認することが可能となる。
【００３２】
また、図７〜図１０は本発明の更に別の形態例を示すもので、図７は防火ダンパ９がヒューズ１６により開放位置に拘束されている状態、図８はそのＶＩＩＩ−ＶＩＩＩ方向の矢視、図９は防火ダンパ９の拘束が解除されて閉塞位置に傾動した状態、図１０はそのＸ−Ｘ方向の矢視を夫々示したものとなっている。
【００３３】
本形態例においては、表示手段として、フード部５の下端部における建物の壁面１に沿うスクリーン６の縦壁部分の最下位置にブラケット１９，１９を介し傾動自在に枢着されて起立し且つその起立時に前記壁面１側に対峙する裏面に流路閉塞表示を付したフラップ２０と、該フラップ２０の表面の適宜な部位と防火ダンパ９の閉塞位置への傾動時に通気流路１０の奥側へ傾動する部位（図示する例では上端部）との間を連結し且つ前記防火ダンパ９の閉塞位置への傾動時に前記フラップ２０が略水平に引き下げられるように配索されたワイヤー等の可撓性の紐状体２１と、前記フラップ２０を直立状態に保持し且つその保持を前記紐状体２１の引き下げにより容易に解除する保持手段を成すマグネット２２（両面テープ等でも可）とを備えている。
【００３４】
ここで、図７及び図８に示す如く、前記紐状体２１は、フラップ２０の表面の連結箇所から下方向きに延びてブラケット１９，１９の直下で後方へ折り返し、フード部５の後面と通気口挿入部３のフランジ部７との間の隙間から通気流路１０内へ引き込まれて防火ダンパ９側へ連結されるようになっている。尚、この隙間は、強風等により通気流路１０内に吹き込まれてしまった雨水を排出する目的で前記通気口挿入部３のフランジ部７の最下位置に形成されているものである。
【００３５】
而して、このようにすれば、ベントフード１８の初期設置時に何らかの事情でヒューズ１６が外れて通気流路１０が防火ダンパ９により閉塞されてしまっていたとしても、図９及び図１０に示す如く、防火ダンパ９の閉塞位置への傾動により紐状体２１が通気流路１０の奥側へ引き込まれ、これによりフラップ２０が起立状態から垂下した状態に引き下げられて外観的に視認し易い大きな変化をもたらし、この裏面に付された流路閉塞表示により通気流路１０の閉塞を屋外から目視で確認することが可能となる。
【００３６】
尚、本発明のベントフードは、上述の形態例にのみ限定されるものではなく、防火ダンパは必ずしも水平方向の軸線を中心に傾動する回転式のバタフライダンパでなくても良く、例えば、鉛直方向の軸線を中心に傾動する回転式のバタフライダンパとしたり、一対の防火ダンパを水平方向又は鉛直方向の軸線を中心に閉じ合わせたり展開したりできるようにした見開き形式のダンパとしても良いこと、また、虫除けのネットを装備しない場合には、美観の向上を目的として紐状体をチェーン等で構成しても良いこと、更には、紐状体だけで表示手段を構成する場合に、紐状体を視認し易くさせる観点から先端側に短冊状の幅広部分を形成しても良いこと、また、表示手段としてフラップを使用する場合には、該フラップによりスクリーンのスリットが閉塞されないよう前記フラップに通気孔を形成しても良いこと、その他、本発明の要旨を逸脱しない範囲内において種々変更を加え得ることは勿論である。
【００３７】
【発明の効果】
上記した本発明のベントフードによれば、建物の壁面に設置されたベントフードが防火ダンパにより閉塞されていないことを、表示手段による流路閉塞表示を屋外から目視して簡単に確認することができるという優れた効果を奏し得る。
【図面の簡単な説明】
【図１】本発明を実施する形態の一例を示す断面図である。
【図２】図１のＩＩ−ＩＩ方向の矢視図である。
【図３】図１の防火ダンパが閉塞位置に傾動した状態を示す断面図である。
【図４】図３のＩＶ−ＩＶ方向の矢視図である。
【図５】本発明の別の形態例を示す断面図である。
【図６】図５の防火ダンパが閉塞位置に傾動した状態を示す断面図である。
【図７】本発明の更に別の形態例を示す断面図である。
【図８】図７のＶＩＩＩ−ＶＩＩＩ方向の矢視図である。
【図９】図７の防火ダンパが閉塞位置に傾動した状態を示す断面図である。
【図１０】図９のＸ−Ｘ方向の矢視図である。
【図１１】従来のベントフードの一例を示す断面図である。
【図１２】図１１のＸＩＩ−ＸＩＩ方向の矢視図である。
【図１３】図１１のヒューズの詳細を示す正面図である。
【符号の説明】
１    壁面
２    通気口
３    通気口挿入部
４    開口
５    フード部
９    防火ダンパ
１０    通気流路
１２    コイルばね（弾撥体）
１６    ヒューズ
１８    ベントフード
２０    フラップ（表示手段）
２１    紐状体（表示手段）
２２    マグネット（保持手段：表示手段）
【図１】
2005009221.tif 000003
【図２】
2005009221.tif 000004
【図３】
2005009221.tif 000005
【図４】
2005009221.tif 000006
【図５】
2005009221.tif 000007
【図６】
2005009221.tif 000008
【図７】
2005009221.tif 000009
【図８】
2005009221.tif 000010
【図９】
2005009221.tif 000011
【図１０】
2005009221.tif 000012
【図１１】
2005009221.tif 000013
【図１２】
2005009221.tif 000014
【図１３】
2005009221.tif 000015